(57)【特許請求の範囲】
【請求項１】
円形輪郭をした敷板本体と、
前記敷板本体の上面に形成された上面側の器載置面部分と、
この器載置面部分に載せた器の蓋を立てて置くために、当該器載置面部分を取り囲む状態に形成された蓋立て用の上面側の円形溝とを有していることを特徴とする蓋付き器用敷板。
【請求項２】
請求項１において、
前記器載置面部分の下面に形成した下面側の器載置面部分と、
前記下面において前記下面側の器載置面部分を取り囲む状態に形成した蓋立て用の下面側の円形溝とを有していることを特徴とする蓋付き器用敷板。
【請求項３】
請求項２において、
前記上面側の円形溝と前記下面側の円形溝は、それらの溝幅および溝深さが相互に異なっていることを特徴とする蓋付き器用敷板。
【請求項４】
請求項３において、
前記上面側の円形溝および前記下面側の円形溝は、外周側の円形溝側面と、内周側の円形溝側面と、一定幅の円環状溝底面を備えており、
前記外周側の円形溝側面および前記内周側の円形溝側面は、前記上面および前記下面から前記円環状溝底面に向けて敷板中心の側に所定の角度で傾斜していることを特徴とする蓋付き器用敷板。
【請求項５】
請求項１ないし４のうちのいずれかの項において、
木材をろくろ細工により加工して製造されたものであることを特徴とする蓋付き器用敷板。
【請求項６】
円板状のテーブル本体と、
前記テーブル本体に乗せた器の蓋を立てて置くために、当該テーブル本体の上面における外周縁部分に形成した蓋立て用の円形溝とを有していることを特徴とする蓋立て溝付きの円形テーブル。
【請求項７】
請求項６において、
木材をろくろ細工により加工して製造されたものであることを特徴とする蓋立て溝付きの円形テーブル。
【請求項８】
円形輪郭をした急須台本体板と、
この急須台本体板の上面に形成した上面側の急須載置面部分と、
前記上面において前記急須載置面部分を取り囲む状態に形成した蓋立て用の上面側の円形溝とを有していることを特徴とする急須台。
【請求項９】
請求項８において、
前記急須台本体板の下面に形成した下面側の急須載置面部分と、
前記下面において前記下面側の急須載置面部分を取り囲む状態に形成した蓋立て用の下面側の円形溝とを有していることを特徴とする急須台。
【請求項１０】
請求項９において、
前記上面側の円形溝と前記下面側の円形溝は、それらの溝幅および溝深さが相互に異なっていることを特徴とする急須台。
【請求項１１】
請求項１０において、
前記上面側の円形溝および前記下面側の円形溝は、外周側の円形溝側面と、内周側の円形溝側面と、一定幅の円環状溝底面を備えており、
前記外周側の円形溝側面および前記内周側の円形溝側面は、前記上面および前記下面から前記円環状溝底面に向けて急須台中心の側に所定の角度で傾斜していることを特徴とする急須台。
【請求項１２】
請求項８ないし１１のうちのいずれかの項において、
木材をろくろ細工により加工して製造されたものであることを特徴とする急須台。
【請求項１３】
円形輪郭をした茶托本体板と、
この茶托本体板の上面に形成した茶碗載置面部分と、
前記上面において前記茶碗載置面部分を取り囲む状態に形成した蓋立て用の円形溝とを有していることを特徴とする茶托。
【請求項１４】
請求項１３において、
前記円形溝は、外周側の円形溝側面と、内周側の円形溝側面と、一定幅の円環状溝底面を備えており、
前記外周側の円形溝側面および前記内周側の円形溝側面は、前記上面から前記円環状溝底面に向けて茶托中心の側に所定の角度で傾斜していることを特徴とする茶托。
【請求項１５】
請求項１３または１４において、
木材をろくろ細工により加工して製造されたものであることを特徴とする茶托。
【発明の詳細な説明】
【０００１】
【発明の属する技術分野】
本発明は、急須台、茶托、鍋敷きなどのような蓋付きの器を載せるための蓋付き器用敷板に関し、さらに詳しくは、器の蓋を立てて置くための蓋立て溝を備えた木製の蓋付き器用敷板に関するものである。
【０００２】
【従来の技術】
急須台において、急須の蓋を立てた状態で置いておくことのできる蓋立て溝を備えたものが提案されている。この急須台は長方形の木製板から形成されており、その上面の一方の側に急須を載せるための載置面部分が形成され、他方の側に直線状の蓋立て用の溝が形成された構成となっている。
【０００３】
この構成の急須台は、木材を切断加工して長方形の木製板を製作し、この木製板の表面を削って、急須の載置面部分および蓋立て溝を形成することにより製造される。
【０００４】
【発明が解決しようとする課題】
本発明の課題は、ろくろ細工のみで製造可能な構造を備えた、蓋立て溝を備えた急須台などの蓋付き器用の木製敷板を提案することにある。
【０００５】
また、従来に比べて、蓋を立てる位置を比較的自由に選ぶことのできる構造を備えた蓋付き器用の木製敷板を提案することにある。
【０００６】
【課題を解決するための手段】
上記の課題を解決するために、本発明の蓋付き器用敷板は、円形輪郭をした敷板本体と、前記敷板本体の上面に形成された上面側の器載置面部分と、この器載置面部分に載せた器の蓋を立てて置くために、当該器載置面部分を取り囲む状態に形成された蓋立て用の上面側の円形溝とを有していることを特徴としている。
【０００７】
本発明の蓋付き器用敷板は、蓋立て用の溝が器載置面部分を取り囲む状態の円形溝であるので、器の回りの邪魔にならない位置に蓋を立てることができる。従って、従来の直線状の蓋立て溝に比べると、蓋を立てる位置を比較的に自由に選ぶことができる。
【０００８】
ここで、前記器載置面部分の下面に形成した下面側の器載置面部分と、前記下面において前記下面側の器載置面部分を取り囲む状態に形成した蓋立て用の下面側の円形溝とを有していれば、蓋付き器用敷板を裏返しにしても使うことができる。
【０００９】
この場合、前記上面側の円形溝と前記下面側の円形溝は、それらの溝幅および溝深さが相互に異なっていてもよい。このようにすると、蓋付き器用敷板を裏返しにすることで、下面側には、上面側と異なる種類の蓋付き器を載せて、その蓋を立てて置くことができる。
【００１０】
また、前記上面側の円形溝および前記下面側の円形溝は、外周側の円形溝側面と、内周側の円形溝側面と、一定幅の円環状溝底面を備えており、前記外周側の円形溝側面および前記内周側の円形溝側面は、前記上面および前記下面から前記円環状溝底面に向けて敷板中心の側に所定の角度で傾斜していることが望ましい。このように蓋立て用溝を構成することにより、蓋を倒れないように立てることができる。
【００１１】
このように円形輪郭をした敷板本体と、この敷板本体に形成された器載置面部分を取り囲む状態の蓋立て用の円形溝を備えた蓋付き器用敷板は、木材をろくろ細工のみで加工して製造することができる。また、本発明の蓋付き器用敷板は、円形テーブル、急須台、茶托に適用することができる。
【００１２】
まず、円形テーブルは、円板状のテーブル本体と、前記テーブル本体に乗せた器の蓋を立てて置くために、当該テーブル本体の上面における外周縁部分に形成した蓋立て用の円形溝とを有している蓋立て用溝付き円形テーブルとして構成することができる。このような蓋立て用溝付きの円形テーブルは、木材をろくろ細工のみで加工して製造することができる。
【００１３】
次に、急須台は、円形輪郭をした急須台本体板と、この急須台本体板の上面に形成した上面側の急須載置面部分と、前記上面において前記急須載置面部分を取り囲む状態に形成した蓋立て用の上面側の円形溝とを有している構成とすることができる。
【００１４】
急須台を裏返しにしても使うことができるように、前記急須台本体板の下面に形成した下面側の急須載置面部分と、前記下面において前記下面側の急須載置面部分を取り囲む状態に形成した蓋立て用の下面側の円形溝とを有している構成とすることもできる。
【００１５】
ここで、前記上面側の円形溝と前記下面側の円形溝は、それらの溝幅および溝深さが相互に異なっていることにより、上面と下面では蓋の違う種類の急須を置くことができる。
【００１６】
また、前記上面側の円形溝および前記下面側の円形溝は、外周側の円形溝側面と、内周側の円形溝側面と、一定幅の円環状溝底面を備えており、蓋が倒れないように立てて置くために、前記外周側の円形溝側面および前記内周側の円形溝側面は、前記上面および前記下面から前記円環状溝底面に向けて急須台中心の側に所定の角度で傾斜していることが望ましい。
【００１７】
このように円形輪郭をした急須台本体板と、この急須台本体板に形成された急須載置面部分を取り囲む状態の蓋立て用の円形溝とを備えた急須台は、木材をろくろ細工のみで加工して製造することができる。
【００１８】
一方、茶托の場合には、円形輪郭をした茶托本体板と、この茶托本体板の上面に形成した茶碗載置面部分と、前記上面において前記茶碗載置面部分を取り囲む状態に形成した蓋立て用の円形溝とを有している構成とすることができる。
【００１９】
この場合、前記円形溝は、外周側の円形溝側面と、内周側の円形溝側面と、一定幅の円環状溝底面を備えており、前記外周側の円形溝側面および前記内周側の円形溝側面は、前記上面から前記円環状溝底面に向けて茶托中心の側に所定の角度で傾斜していることが望ましい。このように構成することにより、円形溝に蓋を倒れないように置くことができる。
【００２０】
このような円形輪郭をした茶托本体板と、この茶托本体板の茶碗載置面部分を取り囲む状態の蓋立て用溝とを備えた茶托は、木材をろくろ細工のみで加工して製造することができる。
【００２１】
【発明の実施の形態】
以下に、図面を参照して、本発明の蓋付き器用敷板を適用した実施例を説明する。
【００２２】
（急須台）
図１は、本発明を適用した急須台を示す斜視図である。図２は、この急須台を示す縦断面図である。
【００２３】
これらの図に示すように、急須台１は、急須２を載せるためのものであり、円形輪郭の木製の急須台本体板３を有している。急須台本体板３の上面４には、急須２を載せるために中央部分を円形に凹ませた上面側の急須載置面部分５と、この上面側の急須載置面部分５を取り囲む状態に上面側の円形溝６とが形成されている。上面側の円形溝６は、急須２の蓋２ａを立てた状態で置くための蓋立て用の溝となっている。
【００２４】
一方、急須台本体板３の下面７にも、中央部分を円形に凹ませた下面側の急須載置面部分８と、下面側の急須載置面部分８を取り囲む状態に下面側の円形溝９が形成されている。従って、急須台１を裏返しにしても急須２を載せることができる。また、急須２の蓋２ａを下面側の円形溝９に立てて置くことができる。
【００２５】
ここで、上面側の円形溝６は、外周側の円形溝側面６１と、内周側の円形溝側面６２と、一定幅の円環状溝底面６３を備えた溝となっている。また、下面側の円形溝９も、外周側の円形溝側面９１と、内周側の円形溝側面９２と、一定幅の円環状溝底面９３を備えた溝となっている。
【００２６】
これらの上側の円形溝６および下側の円形溝９は、外周側の円形溝側面６１、９１および内周側の円形溝側面６２、９２が上面４および下面７から円環状溝底面６３、９３に向けて急須台本体板３の中心の側に所定の角度で傾斜している。このため、上側の円形溝６および下側の円形溝９に急須２の蓋２ａの縁を挟みこむと、蓋２ａを安定した状態で立てることができる。
【００２７】
なお、上面側の円形溝６および下面側の円形溝９は、溝幅および溝深さが異なっていれば、上面４と下面７では異なる種類の急須２を載せて、その蓋２ａを立てて置くことができる。例えば、溝幅を変えておけば、上面側では薄い蓋を立てることができ、下面側では厚い蓋を立てることができる。
【００２８】
この急須台１は、急須台本体板３の上面側の急須載置面部分５に載せた急須２にお湯を注ぎ足すような場合、急須２から外した蓋２ａを上面側の円形溝６に立てて置くことができるので使い勝手がよい。また、円形溝６が急須載置面部分５を取り囲んでいるので、急須２にお湯を注ぐ時に邪魔にならない場所に蓋２ａを置くことができる。従って、従来の直線状の蓋立て溝に比べると、蓋を立てる位置を比較的に自由に選ぶことができる。
【００２９】
さらに、急須台本体板３には、下面７にも上面４と同様に、下側の急須載置面部分８および下側の円形溝９が形成されており、急須台本体板３を裏返しにしても急須２を載せるとともに、蓋２ａを立てて置くことができるので便利である。
【００３０】
また、急須台本体板３は円形輪郭であり、急須台本体板３に形成された上面側および下面側の急須載置面部分５、８を取り囲む状態の蓋立て用の溝が上面側および下面側の円形溝６、９であるので、この急須台１を木材からろくろ細工のみで加工して製造することができる。
【００３１】
（茶托）
次に、本発明を茶托に適用した例を説明する。図３は、本発明を適用した茶托を示す斜視図である。図４は、この茶托を示す縦断面図である。
【００３２】
これらの図に示すように、湯飲み茶碗１０を置く茶托１Ａは、円形輪郭をした茶托本体板３Ａと、この茶托本体板３Ａの上面４Ａに形成した茶碗載置面部分５Ａと、上面４Ａにおいて茶碗載置面部分５Ａを取り囲む状態に形成した蓋立て用の円形溝６Ａとを有している。
【００３３】
円形溝６Ａは、湯飲み茶碗１０の蓋１０ａを立てて置くための溝であり、外周側の円形溝側面６１Ａと、内周側の円形溝側面６２Ａと、一定幅の円環状溝底面６３Ａを備えている。外周側の円形溝側面６１Ａおよび内周側の円形溝側面６２Ａは、上面４Ａから円環状溝底面６３Ａに向けて茶托本体板３Ａの中心側に所定の角度で傾斜している。このため、円形溝６Ａに湯飲み茶碗１０の蓋１０ａの縁を挟みこむと、蓋１０ａを安定した状態で立てることができる。
【００３４】
また、茶托本体板３Ａの下面７Ａは、縁が斜めに削られて、茶托１Ａは全体として皿状の形状となっている。
【００３５】
この茶托１Ａでは、円形溝６Ａが茶碗載置面部分５Ａを取り囲んでいるので、蓋１０ａを湯飲み茶碗１０の回りの邪魔にならない場所に置くことができる。従って、蓋１０ａを立てて置く位置を比較的に自由に選ぶことができる。
【００３６】
また、茶托本体板３Ａは円形輪郭であり、茶托本体板３Ａに形成された茶碗載置面部分５Ａを取り囲む状態の蓋立て用の溝も円形溝６Ａであるので、この茶托１Ａを木材からろくろ細工のみで加工して製造することができる。
【００３７】
（その他の実施の形態）
なお、本発明は、上記の急須台１、茶托１Ａ以外にも、醤油差し、土瓶、土鍋など蓋付きの器を載せるための蓋付き器用敷板に適用することができる。また、本発明は、円板状のテーブル本体に乗せた器の蓋を立てて置くために、テーブル本体の上面における外周縁部分に形成した蓋立て用の円形溝を備えた円形テーブルにも適用できる。
【００３８】
【発明の効果】
以上説明したように、本発明の蓋付き器用敷板は、円形輪郭をした敷板本体と、この敷板本体に形成された器載置面部分を取り囲む状態の蓋立て用の円形溝とにより構成されるので、木材をろくろ細工のみで加工して製造することができる。
【００３９】
また、蓋立て用溝は器載置面部分を取り囲む状態の円形溝であるので、器の回りの邪魔にならない位置に蓋を立てることができる。従って、従来の直線状の蓋立て用溝に比べると、蓋を立てる位置を比較的に自由に選ぶことができる。
【図面の簡単な説明】
【図１】本発明を適用した急須台を示す斜視図である。
【図２】図１に示す急須台の縦断面図である。
【図３】本発明を適用した茶托を示す斜視図である。
【図４】図３に示す茶托の縦断面図である。
【符号の説明】
１  急須台
１Ａ  茶托
２  急須
２ａ  急須の蓋
３  急須台本体板
３Ａ  茶托本体板
４、４Ａ  上面
５  上面側の急須載置面部分
５Ａ  茶碗載置面部分
６  上面側の円形溝
６Ａ  円形溝
７、７Ａ  下面
８  下面側の急須載置面部分
９  下面側の円形溝
１０  湯飲み茶碗
１０ａ  湯飲み茶碗の蓋
６１、６１Ａ、９１  外周側の円形溝側面
６２、６２Ａ、９２  内周側の円形溝側面
６３、６３Ａ、９３  円環状溝底面
【図１】
0003943402.tif 000002
【図２】
0003943402.tif 000003
【図３】
0003943402.tif 000004
【図４】
0003943402.tif 000005